(57)【要約】      （修正有）【課題】容器とその容器の蓋とを取り出しやすく、かつ組み立てやすい状態で保管できる食べ物容器保管台を提供する。【解決手段】上部と一側が開口されたまま内部は空いているケース本体（２）と、上記ケース本体（２）にスライド可能に装着されて、食べ物容器の蓋（８ｂ）を保管して引出可能に開口され、そして一側を介して引き出し式に開放できるように設置される蓋収納箱（３）と、上記蓋収納箱（３）の開閉作動を可能にしながら上記ケース本体（２）の開口された上部を覆うケース蓋体（４）と、上記ケース蓋体（４）の上に装着されたまま食べ物容器の容器本体（８ａ）を上、下積層させた状態で複数列配列させて保管する容器安置台（５）とを有している。【選択図】図５
2006335475.tif 000002
【特許請求の範囲】
【請求項１】
上部と一側が開口されたまま内部は空いているケース本体と、上記ケース本体にスライド可能に装着されたまま食べ物容器の蓋を保管し引出できるように開口されて一側を介して引き出し式に開放できるように設置される蓋収納箱と、上記蓋収納箱の開閉作動を可能にしながら上記ケース本体の開口された上部を覆うケース蓋体と、上記ケース蓋体の上に装着されたまま食べ物容器の容器本体を上、下積層させた状態で複数列配列させて保管される容器安置台と、より成ることを特徴とする食べ物容器保管台。
【請求項２】
上記ケース本体の底上面の両側各々には、上記蓋収納箱が開閉される方向に向って移動溝を形成させるため、互いに平行する内、外側案内突起が各々突出形成されていて、上記した外側案内突起の先端側にはストッパー突起が形成され、上記蓋収納箱の底面の両側各々には上記した両側内、外側案内突起各々の間に嵌め込まれて移動溝に沿ってスライドされるレール突起と上記したレール突起の後端側に隣接して突出形成されて、上記したストッパー突起に係止される離脱防止突起が形成されている請求項１記載の食べ物容器保管台。
【請求項３】
上記の容器安置台はケース蓋体の上に回転可能に設置されている請求項１記載の食べ物容器保管台。
【請求項４】
上記の容器安置台はケース蓋体の上面に固定された状態で、組立設置される固定体に設置されているリテーナに等角度状に嵌め込まれている複数個のボール軸受けに回転可能に支持されている請求項１又は３のいずれかに記載の食べ物容器保管台。
【請求項５】
上記固定体はその底部に突出された環形突起がケース蓋体の中心部に下向に凹に形成された窪み部から上向に突出された内、外側環形突起間に挟まれて水平状に安着された状態で、上記した窪み部の上面で上向に突出された複数個の決着突起によって固定されていて、又上記固定体の上面にはリテーナを収容するリテーナ収容環溝を形成するための内、外側環形突部が形成されている請求項４記載の食べ物容器保管台。
【請求項６】
上記の容器安置台の底部には中心より下向に突出された円筒部と、上記した円筒部の下端には、上記した固定体の中心に形成された組立孔に回転可能に弾力的に嵌め込まれる複数個の組立突起及び上記した円筒部の周りにはリテーナに装着された複数個のボールに支持されたまま、上記の容器安置台の回転作動を案内する環形回転路が形成されている請求項１、２および３のいずれかに記載の食べ物容器保管台。
【請求項７】
上記の容器安置台の上面には食べ物容器の容器本体を伏せて置いた状態で安置させる時、容器本体の入口奥側に対称状に位置して容器本体を固定させることができるように一対になる容器固定具が複数対配置形成されている請求項１、２および３のいずれかに記載の食べ物容器保管台。
【請求項８】
上記の容器安置台の上面に複数対に形成されている容器固定具は、円型断面や矩形断面になる食べ物容器の容器本体を固定させることができるようにＬ字形や弧状に形成されている請求項１、２および３のいずれかに記載の食べ物容器保管台。
【請求項９】
上記ケース蓋体の底部には蓋収納箱の開放作動の際、蓋収納箱がケース本体から離脱されないように制御するための離脱防止突起が形成されている請求項１記載の食べ物容器保管台。
【発明の詳細な説明】
【技術分野】
【０００１】
本発明は、台所の流し台の左、右側に設置された調理台、流し台の上端に設置されている棚や収納部に食べ物容器を保管するための保管台に関し、特に食べ物容器の容器本体と容器蓋を分離した後、容器本体は本体同士に重ねられた状態で積層させて保管するようにし、容器蓋は蓋同士に重ねられた状態で積層させて保管するようにすることで、狭い空間面積でも、より多量の食べ物容器を保管することができるだけでなく、食べ物容器の収納と引出が容易な保管台に関する。
【背景技術】
【０００２】
一般的に、一般家庭では台所の流し台の上に設置された棚や収納部に食器を始めとして食べ物を保管するための種々の容器を保管している。
最近、冷蔵庫に食べ物を保管する時、食べ物の臭いが冷蔵庫を汚染させないようにするため、容器本体を密閉機能のある蓋で結着させる構造で成る食べ物容器が多く使用されている。
【０００３】
上記のように容器本体に密閉用蓋が結着される食べ物容器は食べ物を密閉させた状態で貯蔵するに優れた機能を有しているが、食べ物が貯蔵されていない場合、洗浄された容器本体と蓋を結合させた状態で棚や収納部への保管が容易でないとの点が欠点として指摘されている。
【０００４】
つまり、容器本体に蓋が結合された状態では食べ物容器の嵩を減らすことができないので、空間を多く占めることになり棚や収納部の狭い収納空間に多量を保管できず、又は複数の食べ物容器を収納部の奥側から順に上、下積層させて置いた場合、奥側に保管された容器を引出そうとする時は、外方に積層された容器から引き出した後、奥側にある容器を引き出さなければならないので、容器の引出作業が煩わしく不便である。
【０００５】
その他の従来技術として、例えば、積み重ねた食器を入れるための篭状の容器が提案されている（特許文献１）。
しかし、係る篭状の容器では、上述した様な問題は解決出来ない。
【特許文献１】特開２００５−２０６１７６号公報
【発明の開示】
【発明が解決しようとする課題】
【０００６】
本発明は、上記のような従来技術で記載した諸般事項に鑑みて提案されたものであって、本発明の目的は、空いた食べ物容器を保管しようとする時には、容器本体と容器蓋を分離して保管できるようにするが、ケース本体に引き出し式に開放できる蓋収納箱には食べ物容器の蓋等をきちんと積んで置く状態で保管するようにし、ケース本体の上部に形成された容器安置台には食べ物容器の容器本体を互いに積み重ねた状態で積層させて保管できるようにすることで、台所の棚及び収納部に、より多い個数の食べ物容器を安全に保管できるようにする保管台を提供することである。
又、本発明の他の目的は、上記の容器安置台には容器本体を伏せて置いた状態で積層保管する時、容器本体を固定させることができるようにすることで、多数の容器本体をより安定された状態で保管できるようにすることである。
さらに本発明の別の目的は、上記の容器安置台を回転可能に形成する手段で、上、下複数列に積層保管された容器本体の中、所望の規格の容器本体を容易に引出せるようにすることである。
【課題を解決するための手段】
【０００７】
本発明の食べ物容器本体台によれば、上部と一側が開口されたまま内部は空いているケース本体と、上記ケース本体にスライド可能に装着されたまま食べ物容器の蓋を保管し引出できるように開口されて一側を介して引き出し式に開放できるように設置される蓋収納箱と、上記蓋収納箱の開閉作動を可能にしながら上記ケース本体の開口された上部を覆うケース蓋体と、上記ケース蓋体の上に装着されたまま食べ物容器の容器本体を上、下積層させた状態で複数列配列させて保管される容器安置台と、より成っている。
【０００８】
さらに、本発明の食べ物容器保管台によれば、上記ケース本体の底上面の両側各々には、上記蓋収納箱が開閉される方向に向って移動溝を形成させるため、互いに平行する内、外側案内突起が各々突出形成されていて、上記した外側案内突起の先端側にはストッパー突起が形成され、上記蓋収納箱の底面の両側各々には上記した両側内、外側案内突起各々の間に嵌め込まれて移動溝に沿ってスライドされるレール突起と上記したレール突起の後端側に隣接して突出形成されて、上記したストッパー突起に係止される離脱防止突起が形成されている。
【０００９】
また、本発明の食べ物容器保管台によれば、上記の容器安置台はケース蓋体の上に回転可能に設置されている。
【００１０】
さらに、本発明の食べ物容器保管台によれば、上記の容器安置台はケース蓋体の上面に固定された状態で、組立設置される固定体に設置されているリテーナに等角度状に嵌め込まれている複数個のボール軸受けに回転可能に支持されている。
【００１１】
そして、本発明の食べ物容器保管台によれば、上記固定体はその底部に突出された環形突起がケース蓋体の中心部に下向に凹に形成された窪み部から上向に突出された内、外側環形突起間に挟まれて水平状に安着された状態で、上記した窪み部の上面で上向に突出された複数個の決着突起によって固定されていて、又上記固定体の上面にはリテーナを収容するリテーナ収容環溝を形成するための内、外側環形突部が形成されている。
【００１２】
かつ、本発明の食べ物容器保管台によれば、上記の容器安置台の底部には中心より下向に突出された円筒部と、上記した円筒部の下端には、上記した固定体の中心に形成された組立孔に回転可能に弾力的に嵌め込まれる複数個の組立突起及び上記した円筒部の周りにはリテーナに装着された複数個のボールに支持されたまま、上記の容器安置台の回転作動を案内する環形回転路が形成されている。
【００１３】
また、本発明の食べ物容器保管台によれば、上記の容器安置台の上面には食べ物容器の容器本体を伏せて置いた状態で安置させる時、容器本体の入口奥側に対称状に位置して容器本体を固定させることができるように一対になる容器固定具が複数対配置形成されている。
【００１４】
さらに、本発明の食べ物容器保管台によれば、上記の容器安置台の上面に複数対に形成されている容器固定具は、円型断面や矩形断面になる食べ物容器の容器本体を固定させることができるようにＬ字形や弧状に形成されている。
【００１５】
そして、本発明の食べ物容器保管台によれば、て、上記ケース蓋体の底部には蓋収納箱の開放作動の際、蓋収納箱がケース本体から離脱されないように制御するための離脱防止突起が形成されている。
【発明の効果】
【００１６】
上記のような本発明によると容器本体と蓋が対を成す食べ物容器を保管しようとする時、容器本体と蓋を分離した後、容器本体は容器安置台に伏せて保管すると同時に複数個の容器本体が上、下に積み重ねられた状態で積層保管することができるだけでなく、複数個の容器本体から分離された複数個の蓋はケース本体に引出し式で装着されている蓋収納箱にきちんと整理して保管することができるので、１台の食べ物容器保管台に複数個の食べ物容器を保管できるようにする効果があり、又上記保管台に積層保管された容器本体の中で、いずれか一つを選択して引出そうとする時には、容器安置台を回転させて探すことができることで、容器本体の選択引出しが容易であり、かつ蓋収納箱に保管された蓋は紛失される虞がなく、所望の蓋を引出そうとする時には、蓋収納箱を引き出し式に開放した所望の蓋を容易に探すことができることで、上記保管台に保管された複数個の容器本体と蓋を迅速簡便に引出して使用できるようにする利点を提供するものである。
【発明を実施するための最良の形態】
【００１７】
本発明の実施例を添付した図面に従って詳細に説明する。
図１は本発明の一実施例を説明するための保管台の斜視図であり、図２は図１の保管台のケース本体と蓋収納箱の分解斜視図であり、図３は図１の保管台のケース蓋体と容器安置台の分解斜視図であり、図４は図１の保管台の組立状態の断面図であり、図５は図１に示す実施例の使用状態の斜視図であり、図６は図５の使用状態の断面図を示したものである。
【００１８】
図１において、全体を符号１で示す食べ物容器保管台１は内部が空間であって、前、後、左、右の四面の中、前方一側と上部が開放されているケース本体２と、上記ケース本体２の内部に引き出し式に開放できるように装着されている蓋収納箱３と、上記ケース本体２の上部を覆うケース蓋体４と、上記蓋体ケース４の上に回転可能に設置される容器安置台５とから成っている。
【００１９】
図２に示すように、上記ケース本体２の底２１の周りの部分には、上面が窪んだ状態に形成されて、底２１の底部より下向きに突出されて棚や収納部で支持される突出支持部２２が形成されている。又上記ケース本体２の開放された前方を基準として上記した底２１の左、右両側には前、後方に向って平行に突出された内、外側案内突起２３、２４がそれぞれ形成されている。その両側内、外側案内突起２３、２４の各々の間には移動溝２５が形成されている。又その両側の外側案内突起２４にはそれぞれストッパー突起２６が形成されているが、そのストッパー突起２６は後述するように蓋収納箱３を開ける時、その蓋収納箱３の後端部分がケース本体２の開放端で完全に離脱されないように開放幅を制御する作用を果たすようにケース本体２の開放された前方側に近い位置に形成されている。
【００２０】
次に、上記蓋収納箱３はケース本体２の内部に引き出し式に開放できるように装着されるものであり、上記蓋収納箱３の底部両側には上記ケース本体２の底２１両側に形成された内、外側案内突起２３、２４の間の移動溝２５にスライド可能に嵌め込まれるレール突起３１とそのレール突起３１の後端側付近には上記した外側案内突起２４に形成されたストッパー突起２６に係止される離脱防止突起３２が形成されている。
【００２１】
従って、上記ケース本体２で蓋収納箱３を開放する際、蓋収納箱３の両側レール突起３１がケース本体２の両側移動溝２５に沿って開けた後、蓋収納箱３の後端側に形成された離脱防止突起３２がストッパー突起２６に係止されて、蓋収納箱３はケース本体２から完全に抜け出すことなく、その後端部分がケース本体２に収容された状態で開放されるものである。
【００２２】
次に、主として図３を参照してケース蓋体４について説明する。
上記ケース蓋体４はケース本体２の開放された上部を覆った状態で組立てられるものである。上記ケース蓋体４の周縁部には下向きに突出された内、外側組立突片４１、４２がケース本体２の上端縁２７（図２参照）を包み込む状態で組立てられる。又上記した外側組立突片４２には図３の図示例で切り欠いて示したように内側に突出されて上記した上端縁２７に弾力的に係止される結着突起４２ａが複数個所に形成されている。図示の実施例では上記した結着突起４２ａはケース蓋体４の左、右両側に各々２個所に形成されている。
【００２３】
上記ケース蓋体４には容器安置台５を回転可能に設置するための固定体６とリテーナ７が順に組立てられている。
【００２４】
また上記ケース蓋体４には固定体６より大きい直径で形成された窪み部４３が形成されており、上記した窪み部４３の中心には嵌込み孔４４が形成されている。上記した嵌込み孔４４の周りには内、外側環形突起４５、４６が形成されていて、又上記した外側環形突起４６の周りには複数個の結着突起４７が突出されている。上記した複数個の結着突起４７の各々は、固定体６の周縁部を弾力的に結着させることができるように等角度状に形成されていて、又上記した結着突起４７の各々には固定体６を結着させるための掛かり鍔４７ａが形成されている。
【００２５】
上記固定体６の中心には組立孔６１が形成されていて、又、上記固定体６の周り部分には上記リテーナ７が収容されるリテーナ収容溝６２を形成させるための内、外側環形突部６３、６４が突出形成されている。又上記固定体６の底部にはケース蓋体４の内、外側環形突起４５、４６の間に組立てられる環形突起６５が下向きに突出形成されている。
【００２６】
上記リテーナ７は上記の固定体６に形成されたリテーナ収容溝６２に挿入できる環形板材７１と、この底部に等角度状に突出された複数のボール収容筒７２と、これらボール収容筒７２の各々に回転可能に挿入設置された複数のボール７３とから構成されている。上記した各ボール７３の上、下部は環形板材７１の上面と各ボール収容筒７２の下端より突出される構造で設置されている。
【００２７】
次に、上記の容器安置台５はケース蓋体４の上に回転可能に設置されるものであり、このため、上記の容器安置台５の底部中心には固定体６の組立孔６１の中に挿入できる外径を有する円筒部５１が下向きに突出形成されている。上記した円筒部５１の下端周縁部には上記固定体６の組立孔６１の中に挿入させる際には弾力的に縮まれた後、上記した組立孔６１を通過して、そしてその後弾性復元力により、元の状態に復元され、組立孔６１に結着される組立突起５２が複数個形成されている。上記した複数の組立突起５２は組立孔６１から離脱されない状態で嵌め込まれたまま、回転が可能な状態である。
【００２８】
又、上記した円筒部５１の各組立突起５２が組立孔６１から離脱されないようにするため、結着具５３が組立突起５２の内側へ結着具５３を嵌め込む構造となっており、上記した各組立突起５２が縮まないようになっている。
【００２９】
上記の容器安置台５の底部にはリテーナ７と同一な直径を有する環形回転路５４が形成されている。上記した環形回転路５４は上記リテーナ７に装着された複数のボール７３の上部に支持されており、ボール７３の転がり作動によって、リテーナ７上で回転することになり、これによって、上記の容器安置台５はケース蓋体４上で回転できるようになっている。
【００３０】
上記の容器安置台５には食べ物容器の容器本体８ａを保管するようになっている。すなわち、上記の容器安置台５の上面には、上記した容器本体８ａを安定して積層保管できるようにするために、容器本体８ａを伏せて安置させた時、その入口の奥側に挿入された状態で、入口の内面両側を支持することができるように互いに対称状に向い合う一対の容器固定具５５が複数対配置形成されている。
【００３１】
本発明の図示の実施例（図１参照）では４対の容器固定具５５が形成されている。この４対の容器固定具５５の中、２対の容器固定具５５ａは平面形状がＬ字形に形成されていて、他の２対の容器固定具５５ｂは平面形状が弧状に形成されている。
【００３２】
このＬ字形に形成された容器固定具５５ａは矩形断面になった容器本体８ａを安定して安置させることができ、弧状に形成された容器固定具５５ｂは円型断面になった容器本体８ａを安定して安置させることができる。
【００３３】
上記した各対の容器固定具５５は容器安置台５上面に一体に形成されるか又は容器安置台５とは分離形成されて組立式に設置されることができる。
上記の容器安置台５の底面は中心部より周縁部に行くほど緩慢に低くなる曲面に形成されていて、これにより、各対の容器固定具５５中、周縁部側に位置する一側容器固定具の両端外側には容器本体８ａの入口の一側を支持する受け突起５６が形成されている。従って、上記した容器本体８ａの入口が各対の容器固定具５５を包み込むように安置保管される容器本体８ａは容器安置台５の上面が中心より外周縁に向って下向きを緩慢に曲面状に形成されていても、図６の図示例のように、容器本体８ａの入口一側が受け突起５６に支持されながら水平を成すことになり、これによって複数の容器本体８ａを垂直状に重ねて積層して保管させることができるものである。
【００３４】
図５に示すように、上記蓋収納箱３の前面にはつまみ３３が形成されていて、内部の収納空間には食べ物容器の蓋８ｂを収納している。そして上記蓋収納箱３の収納空間に収納保管される蓋８ｂを２列に整列させて保管することができるようにするため、上記した収納空間を両方に区画する仕切り３４が形成されており、上記した仕切り３４を着脱が可能な組立式構造で設置されている。
【００３５】
又、上記ケース蓋体４の窪み部４３（図３、図６参照）の底部には蓋収納箱３を開ける時、ケース本体２より完全に抜け出さないようにするため、蓋収納箱３の後側上端が係止される離脱防止突起４８が下向きに突出形成されている。
【００３６】
このように構成された本発明を実施した食べ物容器保管台の作用を以下に説明する。
本発明を実施した食べ物容器保管台１は台所の流し台が設置されている調理台上面や調理台上方に設置された棚や収納部に伏せて置いた状態で設置されて、食べ物容器を保管するものであって、上記した保管台１は蓋がない食べ物容器を保管するにも使用できるが、食べ物を盛る容器本体８ａと容器本体を密閉させる密閉用蓋８ｂとからなる食べ物容器を保管するに適合するように構成されたものである。
【００３７】
上記のように容器本体８ａと蓋８ｂで構成された食べ物容器を保管しようとする時には、容器本体８ａと蓋８ｂを分離して容器安置台５と蓋収納箱３に別々に保管するが、図５及び図６の図示例のように蓋８ｂの場合には、ケース本体２に引き出し式に装着されている蓋収納箱３の収納空間にきちんと積み重ねると、多数の蓋８ｂを保管することかできる。容器本体８ａの場合は、伏せて置いた状態で各対の容器固定具５５に安置させるが、この場合、容器安置台５の上面に形成された各対の容器固定具がＬ字形になった容器固定具５５ａでは、図５の図示のように、矩形断面になった容器本体８ａを互いに積み重ねた状態で積層保管し、図１の図示例のように、容器安置台５の上面にＬ字形になった容器固定具５５ａと弧状になった容器固定具５５ｂで構成されている時には、Ｌ字形になった容器固定具５５ａには矩形断面を有する容器本体８ａを伏せて安置させ、あわせて複数個を積み重ねる状態で積層保管し、弧状になった容器固定具５５ｂには円型断面を有する容器本体８ａを伏せて積み重ねた状態で積層保管することになる。
【００３８】
従って、上記のように容器安置台５上面に容器本体８ａを伏せて保管する時には、上側で積層される容器本体８ａが下側にある容器本体を包み込まれる状態で積層されることで、容器安置台５に多数の容器本体８ａを積層保管することができるだけでなく、容器本体８ａが積み重ねられた状態で垂直状に正しく積層されることで、一対の容器固定具５５に複数個の容器本体８ａを安定された状態で積層保管することができるものであり、又容器本体８ａと分離された各蓋８ｂはケース本体２に引き出し式に装着された蓋収納箱３にきちんと積層された状態で保管されて紛失される虞がなくなる。
【００３９】
又、上記した保管台１に積層保管されている複数個の容器本体８ａ中、使用者自身が所望の規格の容器本体８ａを選択して引出そうとする時には、容器安置台５を左側又は右側にゆっくり回転させると、各対の容器固定具５５に積層保管されている容器本体８ａが回転移動することで、使用者は自身が所望の容器本体８ａを容易に探し出して引出すことができるだけでなく、引出された容器本体８ａと対を成す蓋８ｂは蓋収納箱３を開いて、その収納空間より積層保管されているものの中で、探し出して引出すことができる。
【図面の簡単な説明】
【００４０】
【図１】本発明の実施例を説明するための保管台の斜視図。
【図２】本発明を実施した保管台のケース本体と蓋収納箱の分解斜視図。
【図３】本発明を実施した保管台のケース蓋体と容器安置台の分解斜視図。
【図４】本発明を実施した保管台の組立状態の断面図。
【図５】図１に示す保管台の使用状態斜視図。
【図６】図５の断面図。
【符号の説明】
【００４１】
１・・・食べ物容器保管台
２・・・ケース本体
３・・・蓋収納箱
４・・・ケース蓋体
５・・・容器安置台
６・・・固定体
７・・・リテーナ
２３、２４・・・内、外側案内突起
２５・・・移動溝
２６・・・ストッパー突起
３１・・・レール突起
３２・・・離脱防止突起
３３・・・つまみ
３４・・・仕切り
４１、４２・・・内、外側組立突片
４３・・・窪み部
４５、４６・・・内、外側環形突起
４７・・・結着突起
４８・・・離脱防止突起
５１・・・円筒部
５２・・・組立突起
５３・・・結着具
５４・・・環形回転路
５５（５５ａ、５５ｂ）・・・容器固定具
５６・・・受け突起
６１・・・組立孔
６２・・・リテーナ収納溝
６３、６４・・・内、外側環形突部
６５・・・環形突起
７１・・・環形板材
７２・・・ボール収納筒
７３・・・ボール
８ａ・・・容器本体
８ｂ・・・蓋
【図１】
2006335475.tif 000003
【図２】
2006335475.tif 000004
【図３】
2006335475.tif 000005
【図４】
2006335475.tif 000006
【図５】
2006335475.tif 000007
【図６】
2006335475.tif 000008